【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
入力された情報信号の情報量を圧縮し一定の情報単位毎に出力する圧縮手段と、前記圧縮手段の出力信号が出力された時間を表す情報を一定の情報単位毎に認識するとともに前記圧縮手段の出力信号に前記時間情報を一定の情報単位毎に付加する時間情報付加手段と、前記時間情報付加手段の出力信号を複数単位集めるとともにこれに一つの同期信号を付加する同期信号付加手段とを備え、
前記時間情報付加手段は予め定められた基準から入力された前記情報信号の所定の単位までの時間を計数する所定単位計数手段と、前記情報信号の所定の単位の固定された位置から前記時間情報が付加される位置までの時間を計数する所定単位内計数手段とにより構成した送信装置。
【請求項２】
入力された情報信号の情報量を圧縮し一定の情報単位毎に出力する圧縮手段と、前記圧縮手段の出力信号が出力された時間を表す情報を一定の情報単位毎に認識するとともに前記圧縮手段の出力信号に前記時間情報を一定の情報単位毎に付加する時間情報付加手段と、前記時間情報付加手段の出力信号を複数単位集めるとともにこれに一つの同期信号を付加する同期信号付加手段とを備え、
前記情報信号の一定の情報単位が複数個集まって一定の時間長を有する所定の単位をなす構成とし、前記時間情報付加手段は入力された前記情報信号の所定の単位の数を計数する所定単位計数手段と、前記情報信号の所定の単位の固定された位置から前記時間情報が付加される位置までの時間を計数する所定単位内計数手段とにより構成した送信装置。
【請求項３】
入力された情報信号の情報量を圧縮し一定の情報単位毎に出力する複数の圧縮手段と、前記圧縮手段の出力信号が出力された時間を表す情報を一定の情報単位毎に認識するとともに前記圧縮手段の出力信号に前記時間情報を一定の情報単位毎に付加する時間情報付加手段と、前記時間情報付加手段の出力信号を複数単位集めるとともにこれに一つの同期信号を付加する同期信号付加手段とを備え、
前記時間情報付加手段は予め定められた基準から入力された前記情報信号の所定の単位までの時間を計数する所定単位計数手段と、前記情報信号の所定の単位の固定された位置から前記時間情報が付加される位置までの時間を計数する所定単位内計数手段とにより構成した送信装置。
【請求項４】
入力された情報信号の情報量を圧縮し一定の情報単位毎に出力する複数の圧縮手段と、前記圧縮手段の出力信号が出力された時間を表す情報を一定の情報単位毎に認識するとともに前記圧縮手段の出力信号に前記時間情報を一定の情報単位毎に付加する時間情報付加手段と、前記時間情報付加手段の出力信号を複数単位集めるとともにこれに一つの同期信号を付加する同期信号付加手段とを備え、
前記情報信号の一定の情報単位が複数個集まって一定の時間長を有する所定の単位をなす構成とし、前記時間情報付加手段は入力された前記情報信号の所定の単位の数を計数する所定単位計数手段と、前記情報信号の所定の単位の固定された位置から前記時間情報が付加される位置までの時間を計数する所定単位内計数手段とにより構成した送信装置。
【請求項５】
入力された情報信号の情報量を圧縮し一定の情報単位毎に出力する圧縮手段と、入力された情報信号を圧縮せずに一定の情報単位毎に出力する非圧縮手段と、前記圧縮手段の出力信号又は前記非圧縮手段の出力信号が出力する時間を表す情報を前記一定の情報単位毎に認識するとともに前記圧縮手段の出力信号に前記時間情報を一定の情報単位毎に付加する時間情報付加手段と、前記時間情報付加手段の各々の出力信号を一定の情報単位毎に選択しかつ直列にして出力する合成手段と、前記合成手段の出力信号を複数単位集めるとともにこれに一つの同期信号を付加する同期信号付加手段とを備え、
前記時間情報付加手段は予め定められた基準から入力された前記情報信号の所定の単位までの時間を計数する所定単位計数手段と、前記情報信号の所定の単位の固定された位置から前記時間情報が付加される位置までの時間を計数する所定単位内計数手段とにより構成した送信装置。
【請求項６】
入力された情報信号の情報量を圧縮し一定の情報単位毎に出力する圧縮手段と、入力された情報信号を圧縮せずに一定の情報単位毎に出力する非圧縮手段と、前記圧縮手段の出力信号又は前記非圧縮手段の出力信号が出力する時間を表す情報を前記一定の情報単位毎に認識するとともに前記圧縮手段の出力信号に前記時間情報を一定の情報単位毎に付加する時間情報付加手段と、前記時間情報付加手段の各々の出力信号を一定の情報単位毎に選択しかつ直列にして出力する合成手段と、前記合成手段の出力信号を複数単位集めるとともにこれに一つの同期信号を付加する同期信号付加手段とを備え、
前記情報信号の一定の情報単位が複数個集まって一定の時間長を有する所定の単位をなす構成とし、前記時間情報付加手段は入力された前記情報信号の所定の単位の数を計数する所定単位計数手段と、前記情報信号の所定の単位の固定された位置から前記時間情報が付加される位置までの時間を計数する所定単位内計数手段とにより構成した送信装置。
【請求項７】
入力された情報信号の情報量を圧縮し一定の情報単位毎に出力する圧縮手段と、前記圧縮手段の出力信号が出力する時間を表す情報を前記一定の情報単位毎に認識するとともに前記圧縮手段の出力信号に前記時間情報を一定の情報単位毎に付加する時間情報付加手段と、入力された情報信号を圧縮せずに一定の集合情報単位毎に出力する非圧縮手段と、前記圧縮手段の出力信号が入力された場合は前記圧縮手段の出力信号を複数単位集めて出力し、前記非圧縮手段の出力信号が入力された場合は前記集合情報単位を一つ出力するとともに情報量が圧縮された信号か否かを識別する識別符号を付加する識別情報付加手段と、前記識別情報付加手段の出力信号に一つの同期信号を付加する同期信号付加手段とを備え、
前記時間情報付加手段は予め定められた基準から入力された前記情報信号の所定の単位までの時間を計数する所定単位計数手段と、前記情報信号の所定の単位の固定された位置から前記時間情報が付加される位置までの時間を計数する所定単位内計数手段とにより構成した送信装置。
【請求項８】
入力された情報信号の情報量を圧縮し一定の情報単位毎に出力する圧縮手段と、前記圧縮手段の出力信号が出力する時間を表す情報を前記一定の情報単位毎に認識するとともに前記圧縮手段の出力信号に前記時間情報を一定の情報単位毎に付加する時間情報付加手段と、入力された情報信号を圧縮せずに一定の集合情報単位毎に出力する非圧縮手段と、前記圧縮手段の出力信号が入力された場合は前記圧縮手段の出力信号を複数単位集めて出力し、前記非圧縮手段の出力信号が入力された場合は前記集合情報単位を一つ出力するとともに情報量が圧縮された信号か否かを識別する識別符号を付加する識別情報付加手段と、前記識別情報付加手段の出力信号に一つの同期信号を付加する同期信号付加手段とを備え、
前記情報信号の一定の情報単位が複数個集まって一定の時間長を有する所定の単位をなす構成とし、前記時間情報付加手段は入力された前記情報信号の所定の単位の数を計数する所定単位計数手段と、前記情報信号の所定の単位の固定された位置から前記時間情報が付加される位置までの時間を計数する所定単位内計数手段とにより構成した送信装置。
【請求項９】
１つの同期信号と、一定の情報単位の圧縮された情報信号毎に時間情報を付加した信号をｎ単位（ｎは１以上の自然数）集めて１つの集合情報単位として送信する構成とし、前記情報信号の一定の情報単位が複数個集まって所定の単位をなし、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とにより構成した送信装置。
【請求項１０】
１つの同期信号と、一定の情報単位の圧縮された情報信号毎に時間情報を付加した信号をｎ単位（ｎは１以上の自然数）集めて１つの集合情報単位として送信する構成とし、前記情報信号の一定の情報単位が複数個集まって一定の時間長を有する所定の単位をなし、前記時間情報は入力された前記情報信号の所定の単位の数を表す所定単位時間情報と、前記情報信号の所定の単位の固定された位置から前記時間情報が付加される位置までの時間を表す所定単位内時間情報とにより構成した送信装置。
【請求項１１】
情報信号が複数種類ある請求項９〜請求項１０のいずれかに記載の送信装置。
【請求項１２】
１つの同期信号と、一定の情報単位の圧縮された情報信号毎に時間情報を付加した信号と一定の情報単位の情報量が圧縮されていない非圧縮情報信号毎に時間情報を付加した信号とをｎ単位（ｎは１以上の自然数）集めて１つの集合情報単位として送信する構成とし、前記情報信号の一定の情報単位が複数個集まって所定の単位をなし、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とにより構成した送信装置。
【請求項１３】
１つの同期信号と、一定の情報単位の圧縮された情報信号毎に時間情報を付加した信号と一定の情報単位の情報量が圧縮されていない非圧縮情報信号毎に時間情報を付加した信号とをｎ単位（ｎは１以上の自然数）集めて１つの集合情報単位として送信する構成とし、前記情報信号の一定の情報単位が複数個集まって一定の時間長を有する所定の単位をなし、前記時間情報は入力された前記情報信号の所定の単位の数を表す所定単位時間情報と、前記情報信号の所定の単位の固定された位置から前記時間情報が付加される位置までの時間を表す所定単位内時間情報とにより構成した送信装置。
【請求項１４】
１つの同期信号と、一定の情報単位の情報量が圧縮された圧縮情報信号毎に時間情報を付加した信号又は一定の情報単位の情報量が圧縮されていない非圧縮情報信号毎に時間情報を付加した信号をｎ単位（ｎは１以上の自然数）集めて１つの集合情報単位とし、情報量が圧縮された信号か否かを識別する識別符号を付加して送信する構成とし、前記情報信号の一定の情報単位が複数個集まって所定の単位をなし、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とにより構成した送信装置。
【請求項１５】
１つの同期信号と、一定の情報単位の情報量が圧縮された圧縮情報信号毎に時間情報を付加した信号又は一定の情報単位の情報量が圧縮されていない非圧縮情報信号毎に時間情報を付加した信号をｎ単位（ｎは１以上の自然数）集めて１つの集合情報単位とし、情報量が圧縮された信号か否かを識別する識別符号を付加して送信する構成とし、前記情報信号の一定の情報単位が複数個集まって一定の時間長を有する所定の単位をなし、前記時間情報は入力された前記情報信号の所定の単位の数を表す所定単位時間情報と、前記情報信号の所定の単位の固定された位置から前記時間情報が付加される位置までの時間を表す所定単位内時間情報とにより構成した送信装置。
【請求項１６】
１つの同期信号と、一定の情報単位の圧縮された情報信号毎に時間情報を付加した信号をｎ単位（ｎは１以上の自然数）集めて１つの集合情報単位として送信し、前記情報信号の一定の情報単位が複数個集まって所定の単位をなし、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とを有する送信方法。
【請求項１７】
１つの同期信号と、一定の情報単位の圧縮された情報信号毎に時間情報を付加した信号をｎ単位（ｎは１以上の自然数）集めて１つの集合情報単位として送信し、前記情報信号の一定の情報単位が複数個集まって一定の時間長を有する所定の単位をなし、前記時間情報は入力された前記情報信号の所定の単位の数を表す所定単位時間情報と、前記情報信号の所定の単位の固定された位置から前記時間情報が付加される位置までの時間を表す所定単位内時間情報とを有する送信方法。
【請求項１８】
情報信号が複数種類ある請求項１６〜請求項１７のいずれかに記載の送信方法。
【請求項１９】
１つの同期信号と、一定の情報単位の圧縮された情報信号毎に時間情報を付加した信号と一定の情報単位の情報量が圧縮されていない非圧縮情報信号毎に時間情報を付加した信号とをｎ単位（ｎは１以上の自然数）集めて１つの集合情報単位として送信し、前記情報信号の一定の情報単位が複数個集まって所定の単位をなし、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とを有する送信方法。
【請求項２０】
１つの同期信号と、一定の情報単位の圧縮された情報信号毎に時間情報を付加した信号と一定の情報単位の情報量が圧縮されていない非圧縮情報信号毎に時間情報を付加した信号とをｎ単位（ｎは１以上の自然数）集めて１つの集合情報単位として送信し、前記情報信号の一定の情報単位が複数個集まって一定の時間長を有する所定の単位をなし、前記時間情報は入力された前記情報信号の所定の単位の数を表す所定単位時間情報と、前記情報信号の所定の単位の固定された位置から前記時間情報が付加される位置までの時間を表す所定単位内時間情報とを有する送信方法。
【請求項２１】
１つの同期信号と、一定の情報単位の情報量が圧縮された圧縮情報信号毎に時間情報を付加した信号又は一定の情報単位の情報量が圧縮されていない非圧縮情報信号毎に時間情報を付加した信号をｎ単位（ｎは１以上の自然数）集めて１つの集合情報単位とし、情報量が圧縮された信号か否かを識別する識別符号を付加して送信し、前記情報信号の一定の情報単位が複数個集まって所定の単位をなし、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とを有する送信方法。
【請求項２２】
１つの同期信号と、一定の情報単位の情報量が圧縮された圧縮情報信号毎に時間情報を付加した信号又は一定の情報単位の情報量が圧縮されていない非圧縮情報信号毎に時間情報を付加した信号をｎ単位（ｎは１以上の自然数）集めて１つの集合情報単位とし、情報量が圧縮された信号か否かを識別する識別符号を付加して送信し、前記情報信号の一定の情報単位が複数個集まって一定の時間長を有する所定の単位をなし、前記時間情報は入力された前記情報信号の所定の単位の数を表す所定単位時間情報と、前記情報信号の所定の単位の固定された位置から前記時間情報が付加される位置までの時間を表す所定単位内時間情報とを有する送信方法。
【請求項２３】
一つの同期信号と複数単位の圧縮された情報信号とを１つの集合情報単位として受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号のうち圧縮された情報信号を一単位毎に伸張する伸張手段とで構成し、
前記情報信号の一定の情報単位が複数個集まって所定の単位を構成し、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とにより構成され、前記時間情報再生手段は前記所定単位時間情報が表す予め定められた基準から所定の単位までの時間に相当する時間前記一定の情報単位を遅延する所定単位遅延手段と、前記情報信号の所定単位内時間情報が表す時間前記一定の情報単位を遅延する所定単位内遅延手段とにより構成した受信装置。
【請求項２４】
一つの同期信号と複数単位の圧縮された情報信号とを１つの集合情報単位として受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号のうち圧縮された情報信号を一単位毎に伸張する伸張手段とで構成し、
前記情報信号の一定の情報単位が複数個集まって一定の時間長の所定の単位を構成し、前記時間情報は入力された前記情報信号の所定の単位の数を表す所定単位時間情報と、前記情報信号の所定の単位の固定された位置から前記時間情報が付加される位置までの時間を表す所定単位内時間情報とにより構成され、前記時間情報再生手段は前記所定単位時間情報が表す所定の単位の数に相当する時間前記一定の情報単位を遅延する所定単位遅延手段と、前記情報信号の所定単位内時間情報が表す時間前記一定の情報単位を遅延する所定単位内遅延手段とにより構成した受信装置。
【請求項２５】
一つの同期信号と複数単位の圧縮された情報信号とを１つの集合情報単位として受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号を合成された規則に従って分配する分配手段と、前記分配手段の出力信号のうち情報量が圧縮された情報信号を一単位毎に伸張する伸張手段とで構成し、
前記情報信号の一定の情報単位が複数個集まって所定の単位を構成し、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とにより構成され、前記時間情報再生手段は前記所定単位時間情報が表す予め定められた基準から所定の単位までの時間に相当する時間前記一定の情報単位を遅延する所定単位遅延手段と、前記情報信号の所定単位内時間情報が表す時間前記一定の情報単位を遅延する所定単位内遅延手段とにより構成した受信装置。
【請求項２６】
一つの同期信号と複数単位の圧縮された情報信号とを１つの集合情報単位として受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号を合成された規則に従って分配する分配手段と、前記分配手段の出力信号のうち情報量が圧縮された情報信号を一単位毎に伸張する伸張手段とで構成し、
前記情報信号の一定の情報単位が複数個集まって一定の時間長の所定の単位を構成し、前記時間情報は入力された前記情報信号の所定の単位の数を表す所定単位時間情報と、前記情報信号の所定の単位の固定された位置から前記時間情報が付加される位置までの時間を表す所定単位内時間情報とにより構成され、前記時間情報再生手段は前記所定単位時間情報が表す所定の単位の数に相当する時間前記一定の情報単位を遅延する所定単位遅延手段と、前記情報信号の所定単位内時間情報が表す時間前記一定の情報単位を遅延する所定単位内遅延手段とにより構成した受信装置。
【請求項２７】
一つの同期信号と複数単位の圧縮された情報信号とを１つの集合情報単位として受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号を合成された規則に従って分配する分配手段と、前記分配手段の出力信号のうち情報量が圧縮された情報信号を一単位毎に伸張する伸張手段と、前記分配手段の出力信号のうち情報量が圧縮されていない情報信号を出力する非伸張手段とで構成し、
前記情報信号の一定の情報単位が複数個集まって所定の単位を構成し、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とにより構成され、前記時間情報再生手段は前記所定単位時間情報が表す予め定められた基準から所定の単位までの時間に相当する時間前記一定の情報単位を遅延する所定単位遅延手段と、前記情報信号の所定単位内時間情報が表す時間前記一定の情報単位を遅延する所定単位内遅延手段とにより構成した受信装置。
【請求項２８】
一つの同期信号と複数単位の圧縮された情報信号とを１つの集合情報単位として受信するとともに受信された信号のうち同期信号を除去する同期信号除去手段と、前記同期信号除去手段の出力信号に含まれる時間を表す情報を一定の情報単位毎に認識するとともに前記時間情報に基づいて前記同期信号除去手段の出力信号を一定の情報単位毎に遅延する時間情報再生手段と、前記時間情報再生手段の出力信号を合成された規則に従って分配する分配手段と、前記分配手段の出力信号のうち情報量が圧縮された情報信号を一単位毎に伸張する伸張手段と、前記分配手段の出力信号のうち情報量が圧縮されていない情報信号を出力する非伸張手段とで構成し、
前記情報信号の一定の情報単位が複数個集まって一定の時間長の所定の単位を構成し、前記時間情報は入力された前記情報信号の所定の単位の数を表す所定単位時間情報と、前記情報信号の所定の単位の固定された位置から前記時間情報が付加される位置までの時間を表す所定単位内時間情報とにより構成され、前記時間情報再生手段は前記所定単位時間情報が表す所定の単位の数に相当する時間前記一定の情報単位を遅延する所定単位遅延手段と、前記情報信号の所定単位内時間情報が表す時間前記一定の情報単位を遅延する所定単位内遅延手段とにより構成した受信装置。
【請求項２９】
１つの同期信号と、一定の情報単位が圧縮された情報信号を複数個集めたものを１つの集合情報単位として受信するとともに、前記一定の情報単位の情報信号毎に付加されている時間情報に基づいて一定の情報単位の情報信号毎に遅延して出力する構成とし、
前記情報信号の一定の情報単位が複数個集まって所定の単位をなし、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とにより構成され、この一定の情報単位の情報信号毎に付加されている時間情報に応じて一定の情報単位の情報信号毎に前記予め定められた基準から前記所定単位時間情報が表す基準からの時間に相当する時間前記一定の情報単位を遅延するとともに前記情報信号の所定単位内時間情報が表す時間前記一定の情報単位を遅延する構成とした受信装置。
【請求項３０】
１つの同期信号と、一定の情報単位が圧縮された情報信号を複数個集めたものを１つの集合情報単位として受信するとともに、前記一定の情報単位の情報信号毎に付加されている時間情報に基づいて一定の情報単位の情報信号毎に遅延して出力する構成とし、
前記情報信号の一定の情報単位が複数個集まって一定の時間長の所定の単位を構成し、前記時間情報は入力された前記情報信号の所定の単位の数を表す所定単位時間情報と、前記情報信号の所定の単位の固定された位置から前記時間情報が付加される位置までの時間を表す所定単位内時間情報とにより構成され、この一定の情報単位の情報信号毎に付加されている時間情報に応じて一定の情報単位の情報信号毎に前記所定単位時間情報が表す所定の単位の数に相当する時間前記一定の情報単位を遅延するとともに前記情報信号の所定単位内時間情報が表す時間前記一定の情報単位を遅延する構成とした受信装置。
【請求項３１】
受信する情報信号は複数種類ある請求項２９〜請求項３０のいずれかに記載の受信装置。
【請求項３２】
１つの同期信号と、情報量が圧縮された一定の情報単位の圧縮情報信号と情報量が圧縮されていない一定の情報単位の非圧縮情報信号とを含む情報信号を複数個集めたものを１つの集合情報単位として受信するとともに、前記一定の情報単位の情報信号毎に付加されている時間情報に基づいて一定の情報単位の情報信号毎に遅延して出力する構成とし、
前記情報信号の一定の情報単位が複数個集まって所定の単位を構成し、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とにより構成され、この一定の情報単位の情報信号毎に付加されている時間情報に応じて一定の情報単位の情報信号毎に前記予め定められた基準から前記所定単位時間情報が表す基準からの時間に相当する時間前記一定の情報単位を遅延するとともに前記情報信号の所定単位内時間情報が表す時間前記一定の情報単位を遅延する構成とした受信装置。
【請求項３３】
１つの同期信号と、情報量が圧縮された一定の情報単位の圧縮情報信号と情報量が圧縮されていない一定の情報単位の非圧縮情報信号とを含む情報信号を複数個集めたものを１つの集合情報単位として受信するとともに、前記一定の情報単位の情報信号毎に付加されている時間情報に基づいて一定の情報単位の情報信号毎に遅延して出力する構成とし、
前記情報信号の一定の情報単位が複数個集まって一定の時間長の所定の単位を構成し、前記時間情報は入力された前記情報信号の所定の単位の数を表す所定単位時間情報と、前記情報信号の所定の単位の固定された位置から前記時間情報が付加される位置までの時間を表す所定単位内時間情報とにより構成され、この一定の情報単位の情報信号毎に付加されている時間情報に応じて一定の情報単位の情報信号毎に前記所定単位時間情報が表す所定の単位の数に相当する時間前記一定の情報単位を遅延するとともに前記情報信号の所定単位内時間情報が表す時間前記一定の情報単位を遅延する構成とした受信装置。
【請求項３４】
１つの同期信号と、一定の情報単位が圧縮された情報信号を複数個集めたものを１つの集合情報単位として受信するとともに、前記一定の情報単位の情報信号毎に付加されている時間情報に基づいて一定の情報単位の情報信号毎に遅延して出力し、
前記情報信号の一定の情報単位が複数個集まって所定の単位をなし、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とを有し、この一定の情報単位の情報信号毎に付加されている時間情報に応じて一定の情報単位の情報信号毎に前記予め定められた基準から前記所定単位時間情報が表す基準からの時間に相当する時間前記一定の情報単位を遅延するとともに前記情報信号の所定単位内時間情報が表す時間前記一定の情報単位を遅延する受信方法。
【請求項３５】
１つの同期信号と、一定の情報単位が圧縮された情報信号を複数個集めたものを１つの集合情報単位として受信するとともに、前記一定の情報単位の情報信号毎に付加されている時間情報に基づいて一定の情報単位の情報信号毎に遅延して出力し、
前記情報信号の一定の情報単位が複数個集まって一定の時間長の所定の単位をなし、前記時間情報は入力された前記情報信号の所定の単位の数を表す所定単位時間情報と、前記情報信号の所定の単位の固定された位置から前記時間情報が付加される位置までの時間を表す所定単位内時間情報とを有し、この一定の情報単位の情報信号毎に付加されている時間情報に応じて一定の情報単位の情報信号毎に前記所定単位時間情報が表す所定の単位の数に相当する時間前記一定の情報単位を遅延するとともに前記情報信号の所定単位内時間情報が表す時間前記一定の情報単位を遅延する受信方法。
【請求項３６】
受信する情報信号は複数種類ある請求項３４〜請求項３５のいずれか記載の受信方法。
【請求項３７】
１つの同期信号と、情報量が圧縮された一定の情報単位の圧縮情報信号と情報量が圧縮されていない一定の情報単位の非圧縮情報信号とを含む情報信号を複数個集めたものを１つの集合情報単位として受信するとともに、前記一定の情報単位の情報信号毎に付加されている時間情報に基づいて一定の情報単位の情報信号毎に遅延して出力し、
前記情報信号の一定の情報単位が複数個集まって所定の単位をなし、前記時間情報は予め定められた基準から入力された前記情報信号の所定の単位までの時間を表す所定単位時間情報と、前記情報信号の所定の単位の固定された位置から前記時間情報が付加される位置までの時間を表す所定単位内時間情報とを有し、この一定の情報単位の情報信号毎に付加されている時間情報に応じて一定の情報単位の情報信号毎に前記予め定められた基準から前記所定単位時間情報が表す基準からの時間に相当する時間前記一定の情報単位を遅延するとともに前記情報信号の所定単位内時間情報が表す時間前記一定の情報単位を遅延する受信方法。
【請求項３８】
１つの同期信号と、情報量が圧縮された一定の情報単位の圧縮情報信号と情報量が圧縮されていない一定の情報単位の非圧縮情報信号とを含む情報信号を複数個集めたものを１つの集合情報単位として受信するとともに、前記一定の情報単位の情報信号毎に付加されている時間情報に基づいて一定の情報単位の情報信号毎に遅延して出力し、
前記情報信号の一定の情報単位が複数個集まって一定の時間長の所定の単位をなし、前記時間情報は入力された前記情報信号の所定の単位の数を表す所定単位時間情報と、前記情報信号の所定の単位の固定された位置から前記時間情報が付加される位置までの時間を表す所定単位内時間情報とを有し、この一定の情報単位の情報信号毎に付加されている時間情報に応じて一定の情報単位の情報信号毎に前記所定単位時間情報が表す所定の単位の数に相当する時間前記一定の情報単位を遅延するとともに前記情報信号の所定単位内時間情報が表す時間前記一定の情報単位を遅延する受信方法。
【請求項３９】
請求項１〜請求項１５のいずれかに記載の送信装置と請求項２３〜請求項３３のいずれかに記載の受信装置とで構成された送受信装置。
【請求項４０】
請求項１６〜請求項２２のいずれかに記載の送信方法と請求項３４〜請求項３８のいずれかに記載の受信方法とで構成された送受信方法。